(57)【要約】【課題】  テレビ装置、コンピュータモニタなどを構成するためのオンスクリーンディスプレイ（ＯＳＤ）を提供すること。【解決手段】  ＯＳＤは主にアイコンを用いて画面の隅または端の付近に配置されたメニュー項目を表す。メニューアイコンは、３つの可視的側面および当該側面上に透視図で描かれたメニュー項目を表す３つのアイコンを備えた三次元の多角形ホイールを示す。メニュー項目はユーザ入力に応答してスクロールすることができる。メニュー項目が起動されている場合、その前のレベルのメニューアイコンの縮小サイズバージョンと共に、次のレベルのメニューアイコンが表示される。メニュー項目は複数のレベル備えたメニューツリーに論理的に編成され、最大で２つのレベルのメニューアイコンが常に表示される。バーおよび現行値インジケータを用いてパラメータ値を調整するＯＳＤ方法も説明される。【選択図】  図１
2007156408.tif 000002
【特許請求の範囲】
【請求項１】
オンスクリーンディスプレイを用いてディスプレイ装置の構成パラメータを調整する方法であって、
（ａ）前記ディスプレイ装置の画面上に第１レベルのメニューアイコンを表示するステップであり、前記第１レベルのメニューアイコンが１つまたは複数の側面部分に分けられた側面を有する三次元のホイールを示し、各側面部分がメニュー項目を表示し、前記メニュー項目のうちの１つがその時点で選択されたメニュー項目として示されるステップと、
（ｂ）スクロール入力に応答して、前記第１レベルのメニューアイコンの前記ホイールの前記側面部分上に異なるメニュー項目を表示するステップと、
（ｃ）起動入力に応答して、前記画面上に第２レベルのメニューアイコンを表示するステップであり、前記第２レベルのメニューアイコンが１つまたは複数の側面部分に分けられた側面を有する三次元のホイールを示し、各側面部分がメニュー項目を表示し、前記メニュー項目のうちの１つがその時点で選択されたメニュー項目として示され、前記第２レベルのメニューアイコン内で表示される前記メニュー項目がメニューツリーおよび前記第１レベルのメニューアイコン内で選択された前記メニュー項目によって決まるステップと
を含む方法。
【請求項２】
前記第１レベルおよび前記第２レベルのメニューアイコンがさらに許容ユーザ入力を示すインジケータを含む、請求項１に記載の方法。
【請求項３】
前記第１レベルおよび前記第２レベルのメニューアイコン内で示された前記三次元のホイールが少なくとも３つの側面部分に分けられた側面を有する多角形ホイールである、請求項１に記載の方法。
【請求項４】
前記第１レベルおよび前記第２レベルのメニューアイコンにおいて、各メニュー項目が前記多角形ホイールの側面部分上に透視図で描かれた前記メニュー項目を表すアイコンである、請求項３に記載の方法。
【請求項５】
前記第１レベルおよび前記第２レベルのメニューアイコン内で示された前記三次元のホイールが円形ホイールである、請求項１に記載の方法。
【請求項６】
前記ステップ（ｃ）が前記第２レベルのメニューアイコンに近接して前記第１レベルのメニューアイコンの縮小サイズバージョンを表示するステップをさらに含む、請求項１に記載の方法。
【請求項７】
（ｄ）前記第１レベルおよび前記第２レベルのメニューアイコンの両方が表示され、かつ前記第２レベルのメニューアイコンのメニュー項目がその時点で選択されている場合、起動入力に応答して、第３レベルのメニューアイコンを表示するステップと、
前記第２レベルのメニューアイコンの縮小サイズバージョンを表示するステップと、
前記第１レベルのメニューアイコンを消去するステップと
をさらに含む、請求項６に記載の方法。
【請求項８】
前記第１レベルおよび前記第２レベルのメニューアイコンが前記ディスプレイ画面の隅または端に表示される、請求項１に記載の方法。
【請求項９】
（ｄ）起動入力に応答して、ユーザが１つまたは複数の構成パラメータを入力または変更することを促すための入力表示を表示するステップ
をさらに含む、請求項１に記載の方法。
【請求項１０】
前記入力表示が１つまたは複数の側面部分に分けられた側面を有する三次元のホイールを示す入力選択アイコンを含み、各側面部分が前記構成パラメータの可能な値を表示する、請求項９に記載の方法。
【請求項１１】
前記入力選択アイコン内で示された前記三次元のホイールが少なくとも３つの側面部分に分けられた側面を有する多角形ホイールであり、かつ前記入力選択アイコンが許容ユーザ入力を示すインジケータをさらに含む、請求項１０に記載の方法。
【請求項１２】
前記入力表示がバーまたはダイアログボックスを含む、請求項９に記載の方法。
【請求項１３】
前記バーまたは前記ダイアログボックスが表示されている前記画面から前記第１レベルおよび前記第２レベルのメニューアイコンを消去するステップ
をさらに含む、請求項１２に記載の方法。
【請求項１４】
オンスクリーンディスプレイを用いてディスプレイ装置の構成パラメータを調整するための方法であって、
前記ディスプレイ装置の画面上に、２つの部分に分けられた固定長を有するバーを表示するステップと、
前記構成パラメータのその時点で記憶された値に基づき、前記バーに沿って定位置でインジケータを表示するステップと、
第１のユーザ入力に応答して、前記２つの部分の前記長さを変えるステップであり、前記２つの部分の前記長さが前記構成パラメータの調整値を表すステップと、
第２のユーザ入力に応答して、前記構成パラメータの前記調整値を記憶するステップと
を含む方法。
【請求項１５】
前記バーの前記２つの部分が異なる色または透明度で表示される、請求項１４に記載の方法。
【請求項１６】
前記インジケータが矢印である、請求項１４に記載の方法。
【請求項１７】
ディスプレイ画面に構成メニューを表示する方法であって、
（ａ）前記画面上に第１の複数のメニュー項目アイコンを表示するステップであり、前記メニュー項目のうちの１つがその時点で選択されたステップと、
（ｂ）第１のユーザ入力に応答して、異なるメニュー項目アイコンを選択するステップと、
（ｃ）第２のユーザ入力に応答して、前記画面上に第２の複数のメニュー項目を表示するステップであって、前記第２の複数のメニュー項目アイコンがメニューツリーおよび前記第１の複数のメニュー項目アイコンのうちの選択された１つによって決まるステップと
を含む方法。
【発明の詳細な説明】
【発明の分野】
【０００１】
本発明はテレビ装置またはコンピュータモニタを構成するための構成メニューのインタラクティブオンスクリーンディスプレイ（ｉｎｔｅｒａｃｔｉｖｅ  ｏｎ−ｓｃｒｅｅｎ  ｄｉｓｐｌａｙ）に関し、具体的には、主にグラフィックアイコンを用いるオンスクリーンディスプレイに関する。
【関連技術の説明】
【０００２】
オンスクリーンディスプレイ（「ＯＳＤ」）は、ユーザがテレビ装置またはコンピュータモニタの構成パラメータを設定するための前面パネル制御または遠隔制御装置と共に広く用いられている方法である。構成メニューはテレビまたはコンピュータの画面上に表示され、多くの場合、見られているプログラムの主要画像上に重ね合わせて表示される。構成メニューは一般にユーザが前面パネル制御または遠隔制御を用いて選択および入力を行うことを可能にする英数字テキストおよびグラフィック表示を含む。たいていＯＳＤに関連する１つの問題は、それぞれのメニューページがしばしば多くの情報項目を含み、かつ画面上の広い面積を占めることから、画面上の画像を見ることおよび構成パラメータを変えることが妨げられることである。提案されているいくつかのＯＳＤ方法は、メニュー表示の背景を透明または半透明にすることにより、この問題を改善することを試みる。一部のＯＳＤに関する別の問題は、それぞれのページがあまりにも多くの情報（ユーザが選択および調整できる多くの構造パラメータ）を含んでいることである。さらに、構成パラメータは入力源選択（放送テレビ、ケーブル、ＶＣＲ、ＤＶＤプレイヤーなど）によって変化する可能性があることから、混乱させがちである。多くのユーザはそのような表示メニューに圧倒されかつ怖気づいてしまうと感じ、そのため構成処理を先送りし、構成パラメータを未調整のままにしておくことが多い。
【発明の概要】
【０００３】
したがって、本発明は関連技術の限定および不利点に起因する１つまたは複数の当該問題を実質的に防ぐオンスクリーンディスプレイ（ＯＳＤ）に関する。
【０００４】
本発明の１つの目的は視覚的に単純で、見易く、使い易く、かつ画面の広い面積を覆わないＯＳＤを提供することである。
【０００５】
本発明の別の特徴および利点は以下の説明において述べられることになり、一部分は当該説明から明らかになるか、または本発明の実施により得ることが可能である。本発明の目的およびその他の利点は本明細書およびその特許請求の範囲ならびに添付の図面に具体的に示される構造により実施および達成されるであろう。
【０００６】
これら利点およびその他の利点を実現するため、かつ本発明の目的によると、実施されかつ広義に説明されるように、本発明はオンスクリーンディスプレイを用いてディスプレイ装置の構成パラメータを調整するための方法を提供し、以下を含む：（ａ）画面上に第１レベルのメニューアイコンを表示することであり、その第１レベルのメニューアイコンは１つまたは複数の側面部分に分けられた側面を有する三次元のホイールを示し、各側面部分はメニュー項目を表示し、そのメニュー項目のうちの１つがその時点で選択されたメニュー項目として表示されること；（ｂ）スクロール入力に応答して、第１レベルのメニューアイコンのホイールの側面部分上に異なるメニュー項目を表示すること；かつ（ｃ）起動入力に応答して、画面上に第２レベルのメニューアイコンを表示することであり、その第２レベルのメニューアイコンは１つまたは複数の側面部分に分けられた側面を有する三次元のホイールを示し、各側面部分はメニュー項目を表示し、そのメニュー項目のうちの１つがその時点で選択されたメニュー項目として表示され、第２レベルのメニューアイコン内に表示されたメニュー項目がメニューツリーおよび第１レベルのメニューアイコン内で選択されたメニュー項目によって判断されること。
【０００７】
本発明はオンスクリーンディスプレイを用いてディスプレイ装置の構成パラメータを調整するための方法も提供し、以下を含む：２つの部分に分けられた固定長を有するバーを表示すること；構成パラメータのその時点で記憶されている値に基づきバーに沿って定位置でインジケータを表示すること；第１のユーザ入力に応答して、２つの部分の長さを変えることであり、この２つの部分の長さが構成パラメータの調整値を表すこと；かつ第２のユーザ入力に応答して、構成パラメータの調整値を記憶すること。
【０００８】
前述の概要および以下の詳細な説明はともに例示的かつ説明的なものであり、主張されるように本発明のさらなる説明を提供することを意図していることを理解されたい。
【好ましい実施形態の詳細な説明】
【０００９】
本発明の実施形態は視覚的に簡単な方法で構成メニューを表示するオンスクリーンディスプレイ（ＯＳＤ）を提供する。ディスプレイは主にアイコンを用いてメニュー項目を表示する。アイコンは画面の端または隅の付近に配置され、ＯＳＤによって覆われる画面のセーフアクション領域を最小限に抑える。メニュー項目は異なるメニューレベルを有するメニューツリー構造に論理的に編成され、各メニュー項目は次のレベルでのメニュー項目グループか、または調整すべき１つもしくは複数の構成パラメータ（メニューツリーの葉と呼ばれる）のいずれかを表す。それぞれのレベルで、少数（例えば３）のメニュー項目のみが一度に表示される。ディスプレイはユーザ入力に応答して同じレベルで他のメニュー項目にスクロールする。ユーザが選択されたメニュー項目を起動させると、ＯＳＤはメニューツリー構造に基づきディスプレイを変える。
【００１０】
以下の説明では実施例としてテレビ装置が用いられているが、ＯＳＤ方法はコンピュータモニタ、携帯用ＤＶＤプレイヤーのディスプレイ、またはその他のディスプレイ装置にも応用できる。ユーザは、遠隔制御装置、ディスプレイの前面パネル上のコントロールキー、コンピュータキーボード上のキーなどであり得る制御装置を用いてＯＳＤとインタラクトする。遠隔制御は典型的には４つの矢印キー（メニューキー、実行キー、数字キーおよびいくつかのその他キー）を備えている。本実施形態で説明される特定キーの機能は単に例示的に過ぎない。キー割当ては直観的で、かつ習慣的な使用法に従うべきであるが、本明細書で説明される特定キー割当ては本発明の特徴を限定しない。
【００１１】
図１はテレビ画面１を示しており、ＯＳＤの最上レベルのメニューアイコン１０が画面の隅に表示されている。最上レベルのメニューアイコン１０は、ユーザが制御装置上の適切なキー（例えば、メニューキー）を押すと表示される。図２の拡大図に示されるように、最上レベルのメニューアイコン１０は、複数の側面のうちの１つの側面上に透視図で描かれたアイコンによってそれぞれ表された３つのメニュー項目１１ａ、１１ｂおよび１１ｃを含む３つの可視的側面１２、１３および１４を有する三次元の多角形ホイールを示す。図１に示された具体的な実施例において、メニュー項目は設定１１ａ、ＴＶ画像１１ｂ、および音声１１ｃである。見ている人に面しているホイールの側面１３上に表示されるメニュー項目はその時点で選択された項目である。側面１３を囲む縁取りまたは色の異なる背景を用いてその時点で選択されたメニュー項目を表示してもよい。テキスト１６をホイールに近接して表示し、その時点で選択されたメニュー項目をさらに区別してもよい。最上レベルのメニューアイコン１０はいくつかの矢印１５ａ−ｄ（本実施例では４つ）を含み、その時点で許容されたユーザ入力のいくつかを表示する。本実施例では、３種類の入力が許容されている。すなわち、上向きまたは下向きの矢印キーを押してメニュー項目をスクロールすること、左向きもしくは右向きの矢印キーまたは実行キーを押してその時点で選択された項目を起動させて次のレベルに進むこと、かつメニューキーを押して構成メニューを終了することである。
【００１２】
スクロール入力（上向きまたは下向きの矢印キー）に応答して、ＯＳＤはホイールのそれぞれの側面１２、１３、および１４上で表示されるメニュー項目を変え、新しいメニューアイコンを視界にもたらす。スクロールは一度にいずれかの方向に１つの位置ずつのホイールの回転効果を、動画または非動画（ｕｎ−ａｎｉｍａｔｅｄ）でシミュレートする。例えば、図２に示された最上レベルのメニューアイコン１０から上向きの矢印キーを押すことにより、図３に示されるメニューアイコン１０が生じ、それまで位置１２にあったメニュー項目１１ａ（設定）は回転して視界から外れ、それまで位置１３にあったメニュー項目１１ｂ（ＴＶ画像）がこの時点で位置１２に表示され、新しいメニュー項目１１ｄ（入力）が位置１４で視界にもたらされる。スクロールでメニュー項目を変える方法は、メニューツリーによって決まる。中心位置１３に表示されるメニュー項目は明らかにその時点で選択された項目であることから、スクロール動作は実質的に選択動作である。
【００１３】
図２に示される実施例において、アイコン１０の多角形ホイールは３つの可視的側面を有し、その側面上にメニュー項目を表すアイコンが表示される。これにより、その時点で強調表示されたメニュー項目を中央に表示すると同時に、ユーザが次の項目にスクロールするのに役立つように、それぞれの側面上に別のメニュー項目を表示することが可能になる。５つ（ホイールの５つの可視的側面上に、その時点で強調表示された側面のそれぞれの側面上にさらに２つのメニュー項目が示される）など、より多くのメニュー項目を表示してもよいが、一度にあまりにも多くの項目を表示することはユーザを混乱させ、圧倒しがちである。ホイールが１つまたは２つの側面だけを有すること、またはいくつかの面を空白に残すことによりさらに少ないメニュー項目を表示することも可能である。さらに、図１〜３およびその後の図には多角形ホイールが示されているものの、ホイールは円形ホイールであってもよい。その場合、円形ホイールの曲線状の側面を１つまたは複数の側面部分に分けて、それぞれの側面部分に１つのメニュー項目アイコンを表示してもよく、かつメニュー項目アイコンは多角形ホイールの場合と同じように上向きおよび下向きにスクロールしてもよい。
【００１４】
ユーザが起動入力（左向きもしくは右向きの矢印キーまたは実行キー）を用いて最上レベルのメニュー１０のその時点で選択されたメニュー項目を（位置１３で）起動させると、ＯＳＤはメニューツリー構造に基づき異なる表示に変わる。起動させたメニュー項目がメニューツリーにより規定されるいくつかの次のレベルのメニュー項目に対応している場合、図４Ａおよび図４Ｂに示されるように、最上レベルのメニューアイコン１０に類似した次のレベル（第２レベル）のメニューアイコン２０が表示される。その前のレベルのメニューアイコン１０（この時、矢印１５ａ−ｄなしで）の縮小サイズバージョンを第２レベルのメニューアイコン２０に近接して画面上に表示し、これら２つのレベルのメニュー項目の論理的関係を表示することが好ましい。図４Ａに示されるように、ユーザが最上レベルのメニュー１０上でＴＶ画像項目１１ｂを起動させると表示される第２レベルのメニューアイコン２０は、３つの側面上に透視図で描かれた３つのメニュー項目アイコン２１ａ、２１ｂおよび２１ｃを含む３つの可視的側面２２、２３および２４を有する三次元の多角形ホイールを示すという点で、最上レベルのアイコン１０に類似している。第２レベルのアイコン２０内のいくつかの矢印２５ａ−ｄ（この場合４つ）は許容ユーザ行動を示す。この場合もやはり、３種類の入力が許容される。すなわち、上向きまたは下向きのキーを押すこと（スクロール入力）はメニューアイコン２０上でメニュー項目を上下にスクロールすることになり、左向きもしくは右向きの矢印キーまたは実行キーを押すこと（起動入力）はその時点で選択されたメニュー項目を（位置２３で）起動させてメニューツリー構造に従ってＯＳＤを次の表示に進ませることになり、かつメニューキーを押すことはＯＳＤをその前のレベルのメニューアイコン１０に戻すことになる。
【００１５】
メニュー表示の任意の所与のレベルで、起動されたメニュー項目が調整すべき１つまたは複数の構成パラメータ（すなわち、メニューツリー内の葉）を表す場合、ＯＳＤはユーザが（１つまたは複数の）パラメータの値を入力または変更するのを促すための入力表示を表す。入力表示は調整すべき（１つまたは複数の）構成パラメータの特徴によって様々な形態を備えてもよい。例えば、図５は、ユーザが図４Ａに示される第２レベルのメニューアイコン２０内で明るさ項目２１ｂを起動させると表示される明るさパラメータを表すバー３０および関連テキスト３１（任意選択）を示している。インジケータ３２（本実施例では矢印であるが、短い線またはその他の適切なインジケータでもよい）はバーに沿って定位置で表示され、明るさパラメータのその時点で記憶されている値を表し、ユーザが明るさを調整する間は変わらない。バー３０は固定長を有し、好ましくは異なる色または透明度で表される２つの部分（３０ａおよび３０ｂ）に分けられて、調整された明るさ値を視覚的に表す。ユーザが左向きまたは右向きの矢印キーを押して明るさを調整すると、それに応じて、２つの部分の長さが変わり、調整された明るさ値を示す。ユーザが実行キーまたはメニューキーを押すと、この調整は受け入れられ、新たな明るさ値がテレビ装置に記憶される。構成パラメータが連続的または半連続的な値域（例えば、１単位で０から１００まで）を有する場合、そのようなバー形式の入力表示を用いることが好ましい。入力表示は画面上にホイールアイコンとは異なる場所に表示してもよい。図５に示される実施例では、明るさバー３０は、画面のセーフアクション領域を避けられるよう、画面１の下端の付近に表示されている水平バーである。あるいは、バーは画面の上端の付近に表示してもよく、またはこのバーは垂直バーで、かつ画面の左側または右側の付近に表示してもよい。バーは中央に配置してもよいが、これはセーフアクション領域に影響を与えるであろう。また、図５に示されるように、入力表示３０が表示される場合、最上レベルおよび次のレベルのメニューアイコン１０、２０などは画面から消去され、覆われている画面範囲を減らすことが好ましい。
【００１６】
調整すべき構成パラメータが少数の可能な値のうちの１つを取るパラメータである場合、ＯＳＤは最上レベルのメニューアイコン１０に類似したホイール形を備える入力選択アイコンを使用してパラメータを調整することができる。図６Ｂは、ユーザが画面の色温度値を選択することを可能にする色温度パラメータ用の入力選択アイコン４０を示しており、本実施例の場合のように暖、冷、または常であってもよい。許容値は多角形ホイールの側面上にアイコンとして示され、制御装置上の適切なキーを用いてスクロールおよび選択することが可能である。本実施例では、ユーザが図６Ａに示された第２レベルのメニューアイコン２０上で色温度メニュー項目２１ｄを選択する場合、色温度入力アイコン４０が表示される。図６Ｂおよび図６Ｃに示されるように、色温度入力アイコン４０は第２レベルのメニューアイコン２０と共に画面上に表示されるが、最上レベルのメニューアイコン１０はもはや表示されない。これによりアイコンで覆われる画面の範囲が削減される。これはユーザの混乱も最小限に抑える。メニューツリーは３つ、４つまたはさらに多いレベルを有する可能性があるとしても、常に最大で２つのレベルのメニューアイコンを表示することが好ましい。すなわち、第３レベルのメニューアイコンが表示されると、第２レベルの縮小サイズバージョンが表示されるが、第１レベルのメニューアイコンは消去される。
【００１７】
入力表示は、ユーザがボックスのチェックまたはチェック解除、英数字値の入力などを行うことを可能にするダイアログボックスであってもよい。図７はＭＰＡＡ格付けに基づきブロック状態のコンテンツを設定するためのチェックボックスを備えるダイアログボックス５０の例を示している。ユーザは制御装置上の適切なキーを用いてパラメータの設定を変える。構成パラメータの調整後、ユーザは制御装置上の適切なキー（例えば、メニューまたは実行）を押して、その前のメニューレベルに戻るか、または構成処理を終了することができる。
【００１８】
ＯＳＤは見られている画像またはプログラム上に表示されることを意図しているが、空白画面上または背景画像上に表示してもよい。画像またはプログラムは放送ＴＶ、ケーブルＴＶ、衛星ＴＶ、ＶＣＲ、ＤＶＤ、コンピュータなどの任意の適切な供給源により供給することが可能である。
【００１９】
前述のオンスクリーンディスプレイ方法は、テレビ装置またはコンピュータモニタ内のプロセッサ上で実行されるソフトウェアまたはファームウェアにより実施することが好ましい。メニューツリー構造および構成パラメータ値はテレビ装置またはコンピュータモニタ内に記憶される。入力装置として遠隔制御または前面パネルを使用することは当該技術分野においてよく知られており、本明細書では詳細に説明されていない。
【００２０】
本発明の実施形態によるＯＳＤ方法は次の特徴および利点を有する。ＯＳＤは主にアイコンを用いて、視覚的にメニュー項目を表し、メニュー項目は三次元の物体をシミュレートする空間的関係で並べられ、ＯＳＤを視覚的に魅力あるものにする。ユーザを混乱かつ圧倒させないよう、一度に少数のメニュー項目のみがメニューアイコンに含まれる。一度に少数のメニュー項目を表示することにより、メニューアイコンのサイズも比較的小さくなり、ＯＳＤによって覆われる画面範囲を最小限に抑える。下位レベルのメニューアイコンが表示されると、当該メニューアイコンと共に縮小サイズの上位レベルのメニューアイコンが表示されてこれらメニュー項目の論理的関係が示されるが、ユーザの混乱および画面の過密を最小限に抑えることができるように限定された数のレベル（２つなど）のみが表示される。さらに、ＯＳＤは本質的に減法ではなく加法である。すなわち、メニューアイコン上に表示されるメニュー項目は意味を持つ項目のみであり、メニューツリーのその時点でユーザにより選択されることが可能である。減法ＯＳＤでは、メニュー項目は選択できない場合ですら表示されることが多く、かつ「グレイドアウト（ｇｒａｙｅｄ  ｏｕｔ）」されなければならない。これらの特徴はＯＳＤを直観的で利用し易いものにする。そのため、技術支援の要件および付随する製造原価を削減することができる。
【００２１】
本発明の精神または範囲から逸脱することなく、本発明のオンスクリーンディスプレイ方法に種々の変更および改変が実施可能であることを当業者は理解されよう。したがって、本発明は添付された特許請求の範囲およびその均等物の範囲に入る変更および改変を包括することが意図されている。
【図面の簡単な説明】
【００２２】
【図１】本発明の実施形態によるＯＳＤの最上レベルのメニューアイコンを備えたテレビ画面の図である。
【図２】図１の最上レベルのメニューアイコンの拡大図である。
【図３】ＯＳＤの最上レベルのメニューアイコンのもう１つの例を示す図である。
【図４Ａ】本発明の実施形態による最上レベルのメニューアイコンおよび第２レベルのメニューアイコンの図である。
【図４Ｂ】本発明の実施形態による最上レベルのメニューアイコンおよび第２レベルのメニューアイコンの図であり、ディスプレイ上の図である。
【図５】本発明の実施形態による明るさパラメータの調整用ディスプレイの図である。
【図６Ａ】本発明の実施形態による最上レベルおよび第２レベルのメニューアイコンの図である。
【図６Ｂ】本発明の実施形態による色温度の調整用アイコンの図である。
【図６Ｃ】本発明の実施形態による色温度の調整用ディスプレイの図である。
【図７】本発明の実施形態による構造パラメータの設定用ダイアログボックスの図である。
【符号の説明】
【００２３】
１…テレビ画面、１０…最上レベルのメニューアイコン、１１ａ…メニュー項目（設定）、１１ｂ…メニュー項目（ＴＶ画像）、１１ｃ…メニュー項目（音声）、１１ｄ…メニュー項目（入力）、１２…可視的側面（位置）、１３…可視的側面（位置、中心位置）、１４…可視的側面（位置）、１６…テキスト、２０…第２レベルのメニューアイコン、２１ａ…メニュー項目、２１ｂ…メニュー項目（明るさ項目）、２１ｃ…メニュー項目、２１ｄ…色温度メニュー項目、２２…可視的側面、２３…可視的側面（位置）、２４…可視的側面、３０…バー、明るさバー、入力表示、３０ａ…部分、３０ｂ…部分、３１…関連テキスト、３２…インジケータ、４０…入力選択アイコン（色温度入力アイコン）、５０…ダイアログボックス。
【図１】
2007156408.tif 000003
【図２】
2007156408.tif 000004
【図３】
2007156408.tif 000005
【図４Ａ】
2007156408.tif 000006
【図４Ｂ】
2007156408.tif 000007
【図５】
2007156408.tif 000008
【図６Ａ】
2007156408.tif 000009
【図６Ｂ】
2007156408.tif 000010
【図６Ｃ】
2007156408.tif 000011
【図７】
2007156408.tif 000012
【外国語明細書】
2007156408000001.pdf